(57)【要約】【課題】無菌環境下での療養を要する病人に入浴の満足感を与えることができるバスベッドを提供する。【解決手段】バスベッド１のベッドフレーム２上に必要に応じてカバーフレームを設置し、該カバーフレームにカバー３を付設して該カバー３の内側に周囲の雰囲気と隔絶させた空間４を現出させ、清浄化空気供給手段によりカバー３の内側の空間４に清浄化された空気を供給した。従って、無菌環境下での療養を要する病人を入浴させることが可能となり、清拭のみで入浴が許されなかった病人に、入浴の満足感を与えることができる。【選択図】　図１
2004008316.tif 000002
【特許請求の範囲】
【請求項１】
ベッドフレームの下方に浴槽が設置可能であって、寝台を前記ベッドフレームの下方に設置された浴槽に向けて下降させて前記寝台上の病人を入浴させるバスベッドにおいて、
該バスベッドの上下に周囲の雰囲気と隔絶させた空間を現出させるカバーと、該カバーにより現出させた空間に清浄化された空気を供給する清浄化空気供給手段と、を具備することを特徴とするバスベッド。
【請求項２】
前記カバーは、前記ベッドフレームの上方に設置される透明な天井部と、該天井部の周縁部に垂設される透明なカーテンと、を備えることを特徴とする請求項１に記載のバスベッド。
【請求項３】
前記清浄化空気供給手段は、フィルタを通過させることで清浄化させた空気が、前記天井部に穿設された複数の孔から前記カバーにより現出させた空間に供給されることを特徴とする請求項１又は２に記載のバスベッド。
【請求項４】
寝台は、網状のパネルが配設され前記ベッドフレームに昇降可能に支持されたメインフレームと、網状のパネルが配設され前記メインフレームと分割して形成されたサポートフレームと、を備え、入浴時には前記サポートフレームのみを前記浴槽に向けて下降させることを特徴とする請求項１乃至３のいずれかに記載のバスベッド。
【請求項５】
前記浴槽は、温度が適正に調節された薬液を循環させる循環手段を備えることを特徴とする請求項１乃至４のいずれかに記載のバスベッド。
【発明の詳細な説明】
【０００１】
【発明の属する技術分野】
本発明は、ベッドフレームの下方に設置された浴槽により寝台上の病人を入浴させることが可能なバスベッドに関する。
【０００２】
【従来の技術】
従来から、無菌環境下での治療・療養を要する病人のための無菌ベッド装置が知られている。例えば、特開平６−２３０００号公報には、ベッド収納空間を形成するベッドルームユニットと、ベッド収納空間に清浄化された空気を供給する清浄空気供給源と、ベッド収納空間に連通する入口空間を形成する入口ユニットと、を含んで構成される無菌ベッド装置が開示されている。この無菌ベッド装置は、ベッドルームユニットと、清浄空気供給源と、入口ユニットと、を分離して個別に運搬することができるので各々を大きく設定することができ、特に、ベッドルームユニットを大きく設定することで患者の居住するベッド収納空間の居住性を高めることが可能となり、また入口ユニットを大きく設定することで看護の利便性を向上させることができる。
【０００３】
また、病院に限らず介護施設等で介護される病人においても、免疫力が低下して無菌環境下での療養を要することがある。この場合、上記した従来の無菌ベッド装置は、病院で使用する際の利便性は高いが介護施設等においては、スペース、コスト等の問題で設置が困難である。そこで、介護用ベッドを透明なシートで囲繞して空間を形成し、該空間にＨＥＰＡ（Ｈｉｇｈ　Ｅｆｆｉｃｉｅｎｃｙ　Ｐａｒｔｉｃｌｅ）フィルタで清浄化されたクリーンエアを供給するように構成した無菌介護用ベッドが開発されている。ところで、上記無菌介護用ベッドでは、清拭することで病人の身体が清潔に維持される。しかしながら、清拭のみでは入浴のような満足感を得ることができないため、入浴を希望する者が多い。ところが、ベッドの下方に浴槽を設置し、寝台を浴槽に向けて下降させて寝台上の病人を入浴させるバスベッドがあるが、無菌環境下での入浴が可能なバスベッドは皆無であった。
【０００４】
【発明が解決しようとする課題】
そこで本発明は、上記事情に鑑みてなされたもので、無菌環境下での療養を要する病人に入浴の満足感を与えることができるバスベッドを提供することを目的とする。
【０００５】
【課題を解決するための手段】
上記目的を達成するために、本発明のうち請求項１に記載の発明は、ベッドフレームの下方に浴槽が設置可能であって、寝台をベッドフレームの下方に設置された浴槽に向けて下降させて寝台上の病人を入浴させるバスベッドにおいて、該バスベッドの上下に周囲の雰囲気と隔絶させた空間を現出させるカバーと、該カバーにより現出させた空間に清浄化された空気を供給する清浄化空気供給手段と、を具備することを特徴とする。
【０００６】
請求項２に記載の発明は、請求項１に記載の発明において、カバーは、前記ベッドフレームの上方に設置される透明な天井部と、該天井部の周縁部に垂設される透明なカーテンと、を備えることを特徴とする。
【０００７】
請求項３に記載の発明は、請求項１又は２に記載の発明において、清浄化空気供給手段は、フィルタを通過させることで清浄化させた空気が、前記天井部に穿設された複数の孔から前記カバーにより現出させた空間に供給されることを特徴とする。
【０００８】
請求項４に記載の発明は、請求項１乃至３のいずれかに記載の発明において、寝台は、網状のパネルが配設されベッドフレームに昇降可能に支持されたメインフレームと、網状のパネルが配設されメインフレームと分割して形成されたサポートフレームと、を備え、入浴時にはサポートフレームのみを浴槽に向けて下降させることを特徴とする。
【０００９】
請求項５に記載の発明は、請求項１乃至４のいずれかに記載の発明において、浴槽は、温度が適正に調節された薬液を循環させる循環手段を備えることを特徴とする。
【００１０】
従って、請求項１に記載の発明では、ベッドとしての機能とバスとしての機能とを選択的に独立させて使用することができる。また、必要に応じてカバーを設置し、該カバーにより囲繞された空間に清浄化空気供給手段により清浄化された空気を供給することで、当該空間を無菌環境にすることができる。
【００１１】
請求項２に記載の発明では、ベッドフレームの上方に天井部を設置し、該天井部の周縁にカーテンを垂設させることにより、バスベッドの上下に周囲の雰囲気と隔絶させた空間を現出させることができる。また、上記天井部及びカーテンを透明な材料で構成したことにより、カバー（天井部及びカーテン）により遮光されることがなく、カバーにより囲繞された空間及びその周囲が暗くなることがない。
【００１２】
請求項３に記載の発明では、カバーにより囲繞された空間には、清浄化された空気の天井部から供給されてカーテンの裾から排出されるといった、上から下に向けた空気の流れが形成され、当該空間に効率的に無菌環境を形成することができる。
【００１３】
請求項４に記載の発明では、寝台をメインフレームとサポートフレームとに分割して構成し、サポートフレームのみを下降させて浴槽内に浸漬させることにより寝台上の病人を入浴させる。従って、サポートフレームを病人の身体を支えるのに必要最低限な幅に設定して幅の小さい浴槽を使用することができる。さらに、寝台の全幅寸法が浴槽の内幅寸法に規制されることがないので、寝台の全幅寸法を自由に設定することが可能となる。
【００１４】
請求項５に記載の発明では、循環手段により、温度が適正に調節された薬液を浴槽内に循環させることにより、入浴の満足感をより向上させることができる。
【００１５】
【発明の実施の形態】
本発明の一実施の形態を図１乃至図９に基づいて説明する。図１に示す本バスベッド１は、ベッドフレーム２を周囲の雰囲気と隔絶させるカバー３を備え、該カバー３で囲繞して現出させた空間４（以下、単に空間と称す）に、清浄化空気供給手段により清浄化された空気が供給される。これにより、上記空間４に居住する病人を無菌環境下で入浴させる刺せることが可能となり、無菌環境下での療養を要する病人に入浴の満足感を与えることができるように構成されたものである。
【００１６】
上記カバー３は、図１に示すように、ベッドフレーム２の上方に設置された天井部３ａと、該天井部３ａの周縁に垂設されその下端が床面６に到達するカーテン３ｂと、を備え、天井部３ａがベッドフレーム２の四隅の支柱７により支持されている。また、天井部３ａは、透明な材料（アクリル板、ポリ塩化ビニル製シート等）で囲繞することで形成された内部空間３ｃを有しており、下面３ｄ足側（図１における紙面視右側）には、一端が送風機５に接続されたダクト８の他端が接続されている。なお、上記カーテン３ｂは、透明な材料であればよく、例えば、ポリ塩化ビニル製等のシート状の材料で構成してもよいし、アクリル板等のパネル状の材料で構成してもよいし、また両者を組み合わせて構成してもよい。また、図１に示すように、上記天井部３ａは、送風機５からダクト８を介して供給された空気（外気）中に含まれる直径０．３μｍの粒子を９９．９９パーセント以上吸着して当該空気を清浄化させるＨＥＰＡフィルタ６２を具備している。さらに、天井部３ａの下面３ｄには多数の通気孔９が穿設され、上記ＨＥＰＡフィルタ６２により清浄化された空気が、これら通気孔９からカバー３の内側の空間４に供給される構造になっている。そして、上記清浄化空気供給手段は、送風機５、ダクト８及びＨＥＰＡフィルタ６２により構成されている。
【００１７】
また、本バスベッド１のベッドフレーム２は、図２及び図３に示すように、相互に略コの字状に形成された頭側床板１０と足側床板１１とを中間フレーム１２で連結すると共に、頭側床板１０と足側床板１１とを梁部材１３で連結して概略が構成されている。なお、ベッドフレーム２の四隅に配置された各支柱７の上端には、上記カバー３を設置する際にカバーフレーム（図示せず）の支柱が連結されるカバーフレーム連結部（図示せず）が形成されている。そして、カバーフレームの支柱の下端とベッドフレーム２の支柱７の上端とを連結させてベッドフレーム２上にカバーフレームを構成し、該カバーフレームに上記カバー３を付設する。これにより、本バスベッド１では、図１に示すように、バスベッド１がカバー３により囲繞され、該カバー３の内側に周囲の雰囲気と隔絶された空間４を現出させることができる構造になっている。また、図１及び図３に示す符号１４は、ベッドフレーム２の幅方向両側に着脱可能に取付けられた手摺である。
【００１８】
また、図２に示すように、本バスベッド１は、上記ベッドフレーム２により支持された寝台１５を備えている。該寝台１５は、図４に示すように、耐錆性を備えた鋼材により構成されており、当該寝台１５の全幅及び全長をなすメインフレーム１６と、平面視（図４における紙面視）でメインフレーム１６の幅方向中央に配設されて入浴時の病人の身体を支持するサポートフレーム１７と、に分割して構成され、上記メインフレーム１６とサポートフレーム１７とには、図２に示すように、網状のパネル１８が付設されている。また、図２及び図３に示すように、上記中間フレーム１２上にはメインフレーム１６を上下方向に案内するガイドシャフト１９が立設されており、該ガイドシャフト１９は、ベッドフレーム２の前後方向（図２及び図３における紙面視左右方向、以下、単に前後方向と称す）に所定間隔を有する一対が中間フレーム１２の左右両側に配置されている。また、メインフレーム１６の左右両側面には上記ガイドシャフト１９と整合させて配置した被案内部２０が設けられており、該被案内部２０の外側面にはガイドシャフト１９と係合可能な案内溝２１が形成されている。そして、メインフレーム１６は、各被案内部２０が対応する各ガイドシャフト１９に案内されることにより水平を維持した状態で上下方向に案内される構造になっている。なお、メインフレーム１６は、被案内部２０の下面を中間フレーム１２の上面に当接させて下降端位置（ベッドとして使用される際の通常の位置）に位置決めされる。
【００１９】
また、図３及び図５に示すように、メインフレーム１６の頭側には、幅方向に所定間隔で配置された一対のベルト２２ａの一端が連結されており、各ベルト２２ａは、回転自在なプーリ２１に懸持されて他端がリール２４の一側（図３における左側）に連結されている。また、図３及び図６に示すように、メインフレーム１６の足側には、上記頭側に連結された一対のベルト２２ａと同一の間隔で配置された一対のベルト２２ｂの一端が連結されており、各ベルト２２ｂは、回転自在な各プーリ２５に巻回されて他端がリール２４の他側（図３における右側）に連結されている。また、図３及び図５に示すように、上記リール２４は、頭側床板１０に回転可能に支持されてブレーキ付電動モータ２７の駆動により回転駆動されるリール駆動軸２８の両端に固着されている。そして、本バスベッド１は、ブレーキ付電動モータ２７を駆動してリール２４を図３における反時計回り方向へ回転させることでベルト２２ａ，２２ｂが各リール２４に巻き取られ、これにより、メインフレーム１６が、被案内部２０が上記ガイドシャフト１９に案内されて上昇する構造になっている。なお、上記ベルト２２ａ，２２ｂは、図示しないテンション装置により所定張力の予圧が付与されている。
【００２０】
また、図４に示すように、上記サポートフレーム１７は、寝台１５上の病人の上半身を支持する頭側フレーム２９と下半身を支持する足側フレーム３０とを備え、頭側フレーム２９と足側フレーム３０とは軸３１の回りに回動可能に連結されている。上記頭側フレーム２９には、両側面に前後方向に延びる溝３２が設けられると共に両側面を貫通して両端が頭側フレーム２９の両側面に開口したパイプ部材３３が設けられている。また、足側フレーム３０の両側面には前後方向に所定間隔で配置された一対の孔３４，３５が設けられている。また、メインフレーム１６には幅方向へスライド移動可能なスライドピン３６〜３９が所定位置に配設されている。そして、本バスベッド１をベッドとして使用する際には、各スライドピン３６を各溝３２に係合させ、各スライドピン３７をパイプ部材３３の両開口部に係合させ、また各スライドピン３８，３９を各孔３４，３５に係合させる。これにより、サポートフレーム１７がメインフレーム１６で支持されてベッドフレーム２上にフラットな寝台１５が形成される構造になっている。なお、図４に示すように、スライドピン３８とスライドピン３９との一端はレバー４０で連結されており、該レバー４０の操作により一対のスライドピン３８，３９を孔３４，３５に対して同時に抜き差しできる構造になっている。
【００２１】
また、図７に示すように、各スライドピン３７は、一端がパイプ部材３３の各開口部に係合された状態で、各流体圧シリンダ４１のロッド先端部に取付けられた連結部材４２を摺動可能に貫通させている。そして、各流体圧シリンダ４１は、図８に示すように、後端が、メインフレーム１６の幅方向両側に配設されたシリンダブラケット４３に回動可能に連結されており、各流体圧シリンダ４１を駆動してシリンダロッド４１ａを突出させることにより頭側フレーム２９が足側フレーム３０に対して軸３１の回りに回動され、これによりサポートフレーム１７上の病人の上半身を起こすことができる構造になっている。なお、流体圧シリンダ４１を駆動して頭側フレーム２９を足側フレーム３０に対して回動させる場合、即ち本バスベッド１をベッドとして使用している状態で頭側フレーム２９を足側フレーム３０に対して回動させる際には、予め、各スライドピン３６を外側へ向けてスライド移動させて当該スライドピン３６と溝３２との係合を解除しておく必要がある。
【００２２】
また、上記足側フレーム３０には、図４に示すように、幅方向両側に配置されたフレーム部材（鋼材）の内側面に、前後方向に所定間隔を有して配置された一対のフック４４が設けられている。また、本バスベッド１では、図３及び図６に示すように、各フック４４にワイヤ４５の一端を接続することにより、サポートフレーム１７がこれらワイヤ４５で吊持される。そして、各ワイヤ４５をリール４６で巻き取り又は送り出し、サポートフレーム１７を昇降させることにより寝台１５（サポートフレーム１７）上の病人を入浴させる構造になっている。上記リール４６は、図６に示すように、両端が足側床板１１に回転可能に支持されたリール駆動軸４７に所定間隔を有して一対で固着されている。また、該リール駆動軸４７には、図３に示すハンドル４８の回転駆動力が減速機４９を介して伝達される構造になっている。なお、該減速機４９には、サポートフレーム１７の急激な落下を防止すると共にサポートフレーム１７を任意の高さで保持可能な機構を備えている。
【００２３】
また、上記足側フレーム３０は、図９に示すように、山形状に隆起することで、病人の脚を屈曲させて支持する脚上げフレーム５０を備えている。該脚上げフレーム５０は、図４及び図９に示すように、病人の脚の膝より上の部分を支持する第１の脚上げフレーム５０ａと膝より下の部分を支持する第２の脚上げフレーム５０ｂとを備え、第１の脚上げフレーム５０ａと第２の脚上げフレーム５０ｂとは相互の一側が軸５１を中心として回動可能に連結されている。また、第１の脚上げフレーム５０ａは、他側が足側フレーム３０と軸５２の回りに回動可能に連結されている。さらに、第２の脚上げフレーム５０ｂは、他側に配置されたフレーム部材が、ブラケット（図示せず）を介して後述するボールねじ５３に螺合されたナット５４に回動可能に連結されている。
【００２４】
また、図２に示すように、足側フレーム３０には、幅方向中央に配置され両端が回転可能に支持されたボールねじ５３が設けられており、該ボールねじ５３には、図６及び図９に示す軸５５の回転駆動力が減速機５６を介して伝達される構造になっている。そして、上記脚上げフレーム５０を隆起させる際には、軸５５を回転させてボールねじ５３を所定方向へ回転させ、ボールねじ５３に螺合されたナット５４を頭側方向（図９における紙面左方向）へ移動させる。これにより、上記ナット５４の頭側方向への移動に伴い第２の脚上げフレーム５０ｂの他側が頭側へ移動し、第１の脚上げフレーム５０ａが軸５２の回りに図９における反時計回り方向へ回動すると共に第２の脚上げフレーム５０ｂが軸５１の回りに図９における反時計回り方向へ回動されて脚上げフレーム５０が隆起する。なお、上記軸５５は手動で回転駆動させてもよいし、電動モータ等で回転駆動させてもよい。
【００２５】
また、図２に示すように、浴槽５７は、例えばＦＲＰ等の軽量で剛性が高い材料により構成されており、浴槽部５７ａと該浴槽部５７ａの開口した周縁部に設けられ浴槽部５７ａから溢れた湯を受け止めてオーバーフロー孔５８から排出させるトレイ部５７ｂとを備えている。上記浴槽部５７ａは、下降させた寝台１５のサポートフレーム１７が嵌り込むように形成されており、これにより浴槽５７内のサポートフレーム１７を安定した状態で保持することができる構造になっている。また、トレイ部５７ｂには、上記頭側フレーム２９を回動動作させるための流体圧シリンダ４１及び寝台１５のメインフレーム１６の下面に突出するシリンダブラケット４３との干渉を回避するための切欠き穴５９が幅方向両側に配設されており、該切欠き穴５９は蛇腹式の防水カバー（図示せず）で覆われている。また、図２及び図３に示すように、浴槽部５７ａの足側の側面には循環装置６０（循環手段）が接続されて浴槽５７内と連通する接続口６１が設けられ、上記循環装置６０により温度が適正に調節された薬液を浴槽５７内に循環させることができる構造になっている。なお、浴槽５７は、必要に応じて、ベッドフレーム２の寝台１５の下方に設置及び撤去が可能であって、浴槽５７の設置或いは撤去の際には、上記ブレーキ付電動モータ２７を駆動させてメインフレーム１６を上昇させ、当該メインフレーム１６に設けられたシリンダブラケット４３と浴槽５７と浴槽５７との干渉を回避させる。
【００２６】
次に、本バスベッド１の作用を説明する。本バスベッド１は、中間フレーム１２で支持された寝台１５上にマットレス（図示せず）を載置することで、通常のベッドとして使用することができる。なお、本バスベッド１は、浴槽５７をベッドフレーム２の寝台１５の下方から撤去しておくことで、ベッドとして独立させて用いることができる。そして、上記マットレスにサポートフレーム１７の頭側フレーム２９の輪郭に整合させた切込みを設けておいて、流体圧シリンダ４１を駆動して頭側フレーム２９を軸３１の回りに図３における時計回り方向へ回動させることにより、マットレス上の病人の背中を起こすことができる。この際、予め、メインフレーム１６の幅方向両側に配設した各スライドピン３６を外側へ向けてスライド移動させて各スライドピン３６と頭側フレーム２９に形成された各溝３２との係合を解除させておく。
【００２７】
そして、病人を入浴させる場合には、まず、寝台１５上のマットレスを撤去して病人をサポートフレーム１７の網状のパネル上に位置させる。次に、足側床板１１に配設された各リール４６に巻回されている各ワイヤ４５の一端をサポートフレーム１７の足側フレーム３０の各フック４４に掛合させると共に、ハンドル４８を操作して各ワイヤ４５に所定の張力を付与しておく。次に、メインフレーム１６とサポートフレーム１７とを連結するスライドピン３７〜３９を外側へ向けてスライド移動させて各スライドピン３７〜３９とパイプ部材３３の開口部及び各孔３４，３５との係合を解除する。この時、各ワイヤ４５に予圧が付与されてサポートフレーム１７がメインフレーム１６に対して僅かに浮いた状態にあり、各スライドピン３７〜３９には軸と直交する方向の外力が付加されていないので、各スライドピン３７〜３９を容易にスライド移動させることが可能である。なお、スライドピン３７を外側へ向けてスライド移動させることにより、当該スライドピン３７と流体圧シリンダ４１との係合が解除されて流体圧シリンダ４１はシリンダブラケット４３から垂下した状態となり、また浴槽５７のトレイ部５７ｂの切欠き穴５９に取付けられた防水カバー（図示せず）内に位置する。
【００２８】
そして、ハンドル４８を所定方向へ回転させてリール４６に巻回されたワイヤ４５を送り出すことにより、足側フレーム３０の他端を浴槽部５７ａの内側面で案内するようにして、病人を載せたサポートフレーム１７を浴槽５７内へ向けて下降させる。この時、頭側フレーム２９の両側面の溝３２とスライドピン３６とが係合されているので、サポートフレーム１７が下降するに伴い、頭側フレーム２９は足側フレーム３０に対して軸３１の回りに図３に示す時計回り方向へ回動し、サポートフレーム１７上の病人の背中が徐々に起こされる。また、下降したサポートフレーム１７は、浴槽部５７ａに嵌り込むことで浴槽５７に保持され、入浴中に揺れ動くようなことがない。なお、病人が自らの力で膝を屈曲させるのが困難である場合には、軸５５を回転させて脚上げフレーム５０を隆起させ、予め病人の膝を屈曲させておくことにより、膝が伸びた状態で背中が起こされるような苦痛な姿勢を病人に強いることを防ぐことができる。
【００２９】
また、浴槽５７に付設した循環装置（循環手段）により温度調節した薬液を浴槽５７内に循環させて入浴の温浴効果を高めることができ、入浴の満足感を向上させることができる。そして、入浴終了後、ハンドル４８を回転させて各ワイヤ４５を巻き取ることにより、病人を載せた状態のサポートフレーム１７を上昇させる。この時、頭側フレーム２９の溝３２とスライドピン３６とが係合されているので、サポートフレーム１７が上昇するに伴い、頭側フレーム２９は足側フレーム３０に対して軸３１の回りに図３に示す反時計回り方向へ回動し、サポートフレーム１７上の病人の背中が徐々に寝かされ、サポートフレーム１７は足側フレーム３０がメインフレーム１６と略同一面上に位置した状態で、頭側フレーム２９と足側フレーム３０とがフラットな状態となる。この状態で、各スライドピン３７〜３９を内側へ向けてスライド移動させることにより各スライドピン３７〜３９をパイプ部材３３の開口部及び各孔３４，３５に係合させ、さらにワイヤ４５を若干送り出して当該ワイヤ４５の張力を解放することで、ワイヤ４５をフック４４から取外すことが可能となる。
【００３０】
なお、スライドピン３７をパイプ部材３３の開口部に係合させる際には、スライドピン３７を流体圧シリンダ４１のロッド先端に取付けられた連結部材４２に挿通させる。また、入浴終了後、浴槽５７内の湯水（薬液）を排出し、浴槽部５７ａに設けられた接続口６１にドライヤ（図示せず）を接続することにより、病人の身体及び浴槽５７内を乾燥させてもよい。そして、浴槽５７を清掃する場合には、ブレーキ付電動モータ２７を駆動して、一端がメインフレーム１６の頭側のフレーム部材と足側のフレーム部材とに接続された各ベルト２２を各リール２４により巻き取ることにより、メインフレーム１６とサポートフレーム１７とが一体化された寝台１５を上昇させて、浴槽５７の上方に人が入り込むためのスペースを現出させる。この時、寝台１５は、幅方向両側がベッドフレーム２の中間フレーム１２に立設されたガイドシャフト１９に案内されて円滑に昇降させるができる。また、ブレーキ付電動モータ２７を駆動させてメインフレーム１６を上昇させ、当該メインフレーム１６に設けられたシリンダブラケット４３と浴槽５７と浴槽５７との干渉が回避される高さでメインフレーム１６を保持し、この状態で浴槽５７を足側床板１１の一対の支柱７間を挿通させることにより、浴槽５７を寝台１５の下方から取出して清掃することもできる。
【００３１】
また、本バスベッド１に無菌環境下での療養を要する病人を居住させる場合には、ベッドフレーム２上にカバーフレーム（図示せず）を形成し、図１に示すように、該カバーフレームにカバー３を付設する。そして、送風機５により空気（外気）をカバー３の天井部３ａの内部空間３ｃに向けて送風し、さらに該空気をＨＥＰＡフィルタ６２により清浄化して天井部３ａの下面３ｄに穿設された複数の通気孔９から上記カバー３の内側の空間４に供給する。これにより、病人の居住する空間４を無菌環境下におくことができる。そして、上記空間４に供給される清浄化空気は通気孔９の直前でＨＥＰＡフィルタ６２により清浄化されるので、ＨＥＰＡフィルタ６２と通気孔９との間の経路が短くなり、該経路中の清浄化された空気に菌が混入するのを回避して、より菌の存在が少ない清浄化空気を空間４に供給することが可能となる。さらに、清浄化空気はカバー３の天井部３ａに設けられた通気孔９から空間４に供給されてカーテン３ｂの裾から排出されるので、この空間４に上から下に向けた清浄化空気の流れを形成することができ、当該空間４内を無菌環境に維持するために理想的な清浄化空気の流れを形成することが可能となる。さらに、病人が要する無菌レベルにもよるが、ベッドフレーム２の下方に設置された浴槽５７を用いることにより、無菌環境下での療養が必要な病人を入浴させることが可能となり、当該病人に入浴の満足感を与えることができる。
【００３２】
なお、上記カバー３は天井部３ａ及びカーテン３ｂが透明な材料で構成されているので、病人の居住する空間４内に光を取り込むことができ、当該空間４内が暗くなってしまうようなことがない。また、無菌環境下での入浴の際には、当然、所要状態に滅菌処理された入浴用液体が使用される。
【００３３】
この実施の形態では以下の効果を奏する。
バスベッド１のベッドフレーム２上に必要に応じてカバーフレームを設置し、該カバーフレームにカバー３を付設して該カバー３の内側に周囲の雰囲気と隔絶させた空間４を現出させ、該空間４に、送風機５により送風された空気（外気）をＨＥＰＡフィルタ６２（清浄化空気供給手段）により清浄化して供給した。従って、無菌環境下での療養を要する病人を入浴させることが可能となり、清拭のみで入浴が許されなかった病人に、入浴の満足感を与えることができる。
また、カバー３の天井部３ａ及びカーテン３ｂを透明な材料で構成したので、カバー３により遮光されることがなく、当該カバー３の内側の病人が居住する空間及びその周囲が暗くなることがない。
また、ＨＥＰＡフィルタ６２により清浄化された空気が、カバー３の天井部３ａに穿設した複数の通気孔９からカバー３の内側の空間４内に供給されてカーテン３ｂの裾から排出されるので、カバー３内側の空間４内には、上から下に向けた清浄化空気の流れが形成され、当該空間４内を無菌環境に維持するために理想的な清浄化空気の流れを形成することができる。さらに、ＨＥＰＡフィルタ６２が無菌環境を要する空間４の直前に設置されるので、当該ＨＥＰＡフィルタ６２により清浄化された空気が空間４に到達するまでの経路を短くして、該経路中に清浄化された空気に菌が混入するのを極力回避することができる。
【００３４】
また、寝台１５をメインフレーム１６とサポートフレーム１７とに分割して構成し、サポートフレーム１７のみを下降させて寝台１５上の病人を入浴させるので、サポートフレーム１７を病人の身体を支えるのに必要最低限な幅に設定して幅の小さい浴槽５７を使用することが可能となり、浴槽５７を軽量化することができると共に入浴時に使用する湯水が少量で済む。その反対に、寝台１５の全幅寸法が浴槽５７の内幅寸法に規制されることがないので、寝台１５の全幅寸法を自由に設定することが可能となる。
浴槽５７に、温度が適正に調節された薬液を循環させる循環装置６０（循環手段）を付設したので、温度が適正に調節された薬液を浴槽５７内に循環させて入浴の満足感をより向上させることができる。
【００３５】
【発明の効果】
以上詳述したように、本発明によれば、無菌環境下での療養を要する病人に入浴の満足感を与えることができるバスベッドを提供することができる。
【図面の簡単な説明】
【図１】本実施の形態のバスベッドの説明図で、特に、ベッドフレームにカバーが付設された状態を示す正面図である。
【図２】本実施の形態のバスベッドの平面図である。
【図３】本実施の形態のバスベッドの正面図である。
【図４】本実施の形態のバスベッドの寝台の平面図である。
【図５】本実施の形態のバスベッドの左側面図である。
【図６】本実施の形態のバスベッドの右側面図である。
【図７】本実施の形態のバスベッドの説明図で、特に、サポートフレームの頭側フレームを回動動作せるための流体圧シリンダとスライドピンとの連結部を示す図である。
【図８】本実施の形態のバスベッドの説明図で、特に、各状況におけるサポートフレームの頭側フレームの傾斜の状態を示す図である。
【図９】本実施の形態のバスベッドの説明図で、特に、足側フレームと脚上げフレームを駆動する機構を示す図である。
【符号の説明】
１　　　　　バスベッド
２　　　　　ベッドフレーム
３　　　　　カバー
３ａ　　　　天井部（カバー）
３ｂ　　　　カーテン（カバー）
４　　　　　空間
５　　　　　送風機（清浄化空気供給手段）
８　　　　　ダクト（清浄化空気供給手段）
９　　　　　通気孔（天井部に設けられた孔）
１５　　　　寝台
１６　　　　メインフレーム
１７　　　　サポートフレーム
１８　　　　パネル
６０　　　　循環装置（循環手段）
６２　　　　ＨＥＰＡフィルタ（清浄化空気供給手段）
【図１】
2004008316.tif 000003
【図２】
2004008316.tif 000004
【図３】
2004008316.tif 000005
【図４】
2004008316.tif 000006
【図５】
2004008316.tif 000007
【図６】
2004008316.tif 000008
【図７】
2004008316.tif 000009
【図８】
2004008316.tif 000010
【図９】
2004008316.tif 000011
【手続補正書】
【提出日】平成14年6月18日(2002.6.18)
【手続補正１】
【補正対象書類名】明細書
【補正対象項目名】００３４
【補正方法】変更
【補正の内容】
【００３４】
また、寝台１５をメインフレーム１６とサポートフレーム１７とに分割して構成し、サポートフレーム１７のみを下降させて寝台１５上の病人を入浴させるので、サポートフレーム１７を病人の身体を支えるのに必要最低限な幅に設定して幅の小さい浴槽５７を使用することが可能となり、浴槽５７を軽量化することができると共に入浴時に使用する湯水が少量で済む。その反対に、寝台１５の全幅寸法が浴槽５７の内幅寸法に規制されることがないので、寝台１５の全幅寸法を自由に設定することが可能となる。
浴槽５７に、温度が適正に調節された薬液を循環させる循環装置６０（循環手段）を付設したので、温度が適正に調節された薬液を浴槽５７内に循環させて入浴の満足感をより向上させることができる。
なお、実施の形態は上記に限定されるものではなく、例えば次のように構成してもよい。
循環装置６０により温度が適正に調節された牛乳等の美容溶液を薬液の代わりに浴槽５７内に循環させ、本バスベッド１を美容装置として使用してもよい。この時、ベッドフレーム２をカバー３で覆い、該カバー３の内側の空間４にマイナスイオン供給装置によりマイナスイオンを供給することで、美容効果と同時にリラクゼーション、血液の浄化、アレルギー体質改善等のマイナスイオン効果を得ることができる。このように、循環装置６０により浴槽５７内に循環させる溶液、或いはカバー３の内側の空間４に供給する物質を所要に選択することにより、バスベッド１の用途を拡大することができる。
また、気泡発生装置により浴槽５７内の溶液中に気泡を発生させてもよい。この場合、温浴効果、マッサージ効果が得られ、入浴の満足感をさらに向上させることができる。また、皮膚の毛穴に入り込むような極めて微細な気泡を発生させることができる気泡発生装置を用いることで、通常の擦り洗いでは落とすことが困難な毛穴の奥の汚れを落とすことが可能となる。